Podtech/llm-jp-corpus-v4-ja_patent huggingface dataset:
【手続補正書】
【提出日】平成18年3月23日(2006.3.23)
【手続補正１】
【補正対象書類名】明細書
【補正対象項目名】特許請求の範囲
【補正方法】変更
【補正の内容】
【特許請求の範囲】
【請求項１】  複数のファイルの各々の関連を示す情報に基づいて、該複数のファイルを１つのファイルに結合するステップと、
前記結合されたファイルを構成する少なくとも１つのファイルと、そのファイルに関連するファイルとをグループ化するステップと、
前記結合されたファイルと、前記グループ化されたファイルとを２次元で表示するステップとをコンピュータに実行させる、ファイル管理プログラム。
【請求項２】  前記グループ化は、ファイルの履歴に基づいて行なわれる、請求項１に記載のファイル管理プログラム。
【請求項３】  前記グループ化は、ファイルのバリエーションに基づいて行なわれる、請求項１または２に記載のファイル管理プログラム。
【請求項４】  前記結合されたファイルの一部を削除するとき、そのファイルに関連してグループ化されたファイルも削除するステップをさらに備えた、請求項１〜３のいずれかに記載のファイル管理プログラム。
【請求項５】  前記グループ化されたファイルの中から１つのファイルを選択する指示をユーザから受付けるステップと、
前記選択されたファイルが前記結合されたファイルに含まれるように、前記ファイルの結合を修正するステップとをさらに備えた、請求項１〜４のいずれかに記載のファイル管理プログラム。
【請求項６】    結合された複数のファイルと、前記複数のファイルのうち少なくとも１つのファイルに対して該ファイルに関連する少なくとも１つのファイルと、を管理するファイル管理プログラムであって、
管理されているファイルの１つを表示するとともに、表示されたファイルに対して結合している他のファイルへと表示を切り替える第１手段と、表示されたファイルに関連している他のファイルへと切り替える第２手段と、を表示されたファイルの周辺に表示する表示ステップと、
前記第１手段に対する操作により、表示されたファイルを、結合している他のファイルへと切り替えるステップと、
前記第２手段に対する操作により、表示されたファイルを、関連している他のファイルへと切り替えるステップとを有するファイル管理プログラム。
【請求項７】  前記表示ステップは、現在表示されているファイルに関連するファイルがないときには、前記第２手段は表示されないことを特徴とする請求項６に記載のファイル管理プログラム。
【請求項８】  前記表示ステップは、現在表示されているファイルを、現在表示されているファイルに関連し、かつ、結合されたファイルに代えて、結合されたファイルへと変更するための第３手段を、表示されたファイルの周辺に表示することを特徴とする請求項６〜８いずれかに記載のファイル管理プログラム。
【請求項９】  前記表示ステップは、現在表示されているファイルが結合されたファイルであるか否かによって表示形態が異なる表示を、表示されたファイルの周辺に表示することを特徴とする請求項６〜８いずれかに記載のファイル管理プログラム。
【請求項１０】  前記表示ステップにより表示されるファイルは、ファイルのサムネイルであることを特徴とする請求項６〜９に記載のファイル管理プログラム。
【請求項１１】  請求項１〜１０のいずれかに記載のファイル管理プログラムを記録した、コンピュータ読取可能な記録媒体。
【請求項１２】  複数のファイルの各々の関連を示す情報に基づいて、該複数のファイルを１つのファイルに結合するステップと、
前記結合されたファイルを構成する少なくとも１つのファイルと、そのファイルに関連するファイルとをグループ化するステップと、
前記結合されたファイルと、前記グループ化されたファイルとを２次元で表示するステップとを備えた、ファイル管理方法。
【手続補正２】
【補正対象書類名】明細書
【補正対象項目名】００１０
【補正方法】変更
【補正の内容】
【００１０】
この発明の他の局面に従うと、結合された複数のファイルと、前記複数のファイルのうち少なくとも１つのファイルに関連する少なくとも１つのファイルと、を管理するファイル管理プログラムであって、管理されているファイルの１つを表示するとともに、表示されたファイルに対して結合している他のファイルへと表示を切り替える第１手段と、表示されたファイルに関連している他のファイルへと切り替える第２手段と、を表示されたファイルの周辺に表示する表示ステップと、前記第１手段に対する操作により、表示されたファイルを、結合している他のファイルへと切り替えるステップと、前記第２手段に対する操作により、表示されたファイルを、関連している他のファイルへと切り替えるステップとを有する。好ましくは、表示ステップは、現在表示されているファイルに関連するファイルがないときには、前記第２手段は表示されない。好ましくは、表示ステップは、現在表示されているファイルを、現在表示されているファイルに関連し、かつ、結合されたファイルに代えて、結合されたファイルへと変更するための第３手段を、表示されたファイルの周辺に表示する。好ましくは、表示ステップは、現在表示されているファイルが結合されたファイルであるか否かによって表示形態が異なる表示を、表示されたファイルの周辺に表示する。好ましくは、表示ステップにより表示されるファイルは、ファイルのサムネイルである。  この発明の他の局面に従うと、コンピュータ読取可能な記録媒体は、上述のいずれかに記載のファイル管理プログラムを記録する。
【手続補正書】
【提出日】平成17年11月11日(2005.11.11)
【手続補正１】
【補正対象書類名】明細書
【補正対象項目名】０００３
【補正方法】変更
【補正の内容】
【０００３】
ここで、図１３に示した被処理体の断面図を用いてプラズマエッチングの一例として、ＭＯＳ（Metal  Oxide  Semiconductor）トランジスタのポリシリコン（Poly-Si）ゲート電極形成のためのエッチング（以下、ゲートエッチングと記す）について説明する。図１３（ａ）に示すように、エッチング前の被処理体１は、シリコン（Si）基板２の表面から上方に向かって順に、二酸化ケイ素（SiO2）膜３、ポリシリコン膜４、およびフォトレジストマスク５によって形成されている。なお、このフォトレジストマスク５は、フォトリソグラフィ工程においてフォトレジストを塗布した後に、レティクルと呼ばれるマスクを用いて縮小投影露光装置によって１チップあるいは複数チップごとに同じパターンを露光し、現像した後に形成される。このフォトレジストマスク５の寸法、つまりフォトレジストマスク幅７は、後に説明するゲート電極の幅に大きく関わるため、厳しく管理されている。
【手続補正２】
【補正対象書類名】明細書
【補正対象項目名】０００７
【補正方法】変更
【補正の内容】
【０００７】
処理室蓋１２の中心部に設置された導入口２２から処理ガス２１を処理室１３内に導入し、プラズマ２５を生成する。このプラズマ２５に被処理体１を曝すことによってプラズマエッチング処理が行われる。処理ガス２１およびプラズマエッチング処理における反応で生成した揮発性物質は排気口３０から排出される。排気口３０の先には真空ポンプ（ここでは図示しない）が接続されており、これによって処理室１３内の圧力を１Ｐａ（パスカル）程度の減圧にしている。
【手続補正３】
【補正対象書類名】明細書
【補正対象項目名】００１６
【補正方法】変更
【補正の内容】
【００１６】
図１４に示した従来例のプラズマエッチング装置では、被処理体１の中心部の上方に設けられた導入口２２からのみ処理ガスを導入しているため、処理ガスに含まれているガス成分のラジカルや、解離して生成したイオンの濃度が、被処理体１の中心部で高く、外周部で低くなることが多い。
【手続補正４】
【補正対象書類名】明細書
【補正対象項目名】００２２
【補正方法】変更
【補正の内容】
【００２２】
【課題を解決するための手段】
本発明は、上記従来技術の問題点を解決するために、処理室１３へ処理ガス２１を導入する導入口２２を複数設け、それぞれの導入口２２によって処理ガス２１の流量または組成を調節するものである。そのとき共通ガス系からの処理ガス（第１の処理ガス）を複数に分配し、分配した後のそれぞれの配管系に添加ガス系からのガス（第２の処理ガス）を混合させ、処理室１３に設けられた複数の導入口から導入する処理ガスの組成および／または流量を調節するものである。
【手続補正書】
【提出日】平成18年3月8日(2006.3.8)
【手続補正１】
【補正対象書類名】明細書
【補正対象項目名】００６３
【補正方法】変更
【補正の内容】
【００６３】
具体的には、穴８０ならびに凹所８２，８４は突起部７２と対向する位置に形成されており、穴８０はニオブ層２０に入り込んだ位置からＳｉＯ２膜１４へ入り込んだ位置へ至る貫通孔である。また、凹所８２，８４は穴８０を挟むようにして穴８０に隣接して位置しており、いずれの凹所８２，８４も、壁部７０の上面７０ａからニオブ層１６に入り込むように形成されている。
【手続補正２】
【補正対象書類名】明細書
【補正対象項目名】符号の説明
【補正方法】変更
【補正の内容】
【符号の説明】
１０      基板
１２      シリコン（Ｓｉ）基板
１４      ＳｉＯ２膜
１６      ニオブ層
１８      アルミニウム酸化物層
２０      ニオブ層
２２      ３層構造体
５０      カーボン保護膜
７０      壁部
７０ａ    上面
７２      突起部
７２ａ    上面
８０      穴
８２      凹所
８４      凹所
９０      第１微小トンネル接合
９２      第２微小トンネル接合
【手続補正３】
【補正対象書類名】図面
【補正対象項目名】図６
【補正方法】変更
【補正の内容】
【図６】
2005056938.tif 000001
【手続補正書】
【提出日】平成18年1月11日(2006.1.11)
【手続補正１】
【補正対象書類名】明細書
【補正対象項目名】特許請求の範囲
【補正方法】変更
【補正の内容】
【特許請求の範囲】
【請求項１】  減圧された真空容器を有し、該真空容器内に試料を収容し真空処理する真空処理装置において、
少なくとも２個以上の磁場発生手段と、
前記真空容器内に配置した２次電子放出電極と、
前記２次電子放出電極に高周波電力を印加する高周波電源とを備えた
ことを特徴とする真空処理装置。
【請求項２】  減圧された真空容器を有し、該真空容器内に試料を収容し操作する真空処理装置において、
少なくとも２個以上の磁場発生手段と、
前記真空容器内に配置した２次電子放出電極と、
前記２次電子放出電極に高周波電力を印加する高周波電源とを備えた
ことを特徴とする真空処理装置。
【請求項３】  減圧された真空容器と、磁場発生手段と、前記真空容器内に配置した２次電子放出電極と、該２次電子放出電極の少なくとも真空側の面を覆う誘電体と、前記２次電子放出電極に高周波電力を印加する高周波電源とを有し、前記真空容器内に試料を収容し真空処理する真空処理装置のクリーニング方法において、
前記２次電子放出電極に高周波を印加するとともに、前記磁場発生手段の磁場形状または磁場強度を制御して前記真空容器内部をクリーニングする
ことを特徴とする真空処理装置のクリーニング方法。
【請求項４】  減圧された真空容器と、少なくとも２個以上の磁場発生手段と、該磁場発生手段の各々の磁場強度を独立に制御する磁場強度制御手段と、前記真空容器内に配置した試料を載置する電極と、該電極に高周波電力を印加する高周波電源とを有し、前記真空容器内に試料を収容し真空処理する真空処理装置のクリーニング方法において、
前記電極に誘電体またはウエハを載置した状態で高周波電力を印加するとともに、前記磁場発生手段の磁場形状または磁場強度を制御して２次電子が照射する真空容器内壁上の領域を特定し前記真空容器内部をクリーニングする
ことを特徴とする真空処理装置のクリーニング方法。
【請求項５】  減圧された真空容器と、少なくとも２個以上のプラズマ発生用磁場コイルと、該プラズマ発生用磁場コイルの各々の磁場強度を独立に制御する磁場強度制御手段と、前記真空容器内に配置した２次電子放出電極と、該２次電子放出電極の少なくとも真空側の面を覆う誘電体と、前記２次電子放出電極に高周波電力を印加する高周波電源とを有し、前記真空容器内に試料を収容し処理する真空処理装置のクリーニング方法において、
前記２次電子放出電極に高周波電力を印加するとともに、前記プラズマ発生用磁場コイルの磁場形状または磁場強度を制御して前記真空容器内部をクリーニングする
ことを特徴とする真空処理装置のクリーニング方法。
【手続補正書】
【提出日】平成18年7月25日(2006.7.25)
【手続補正１】
【補正対象書類名】明細書
【補正対象項目名】発明の名称
【補正方法】変更
【補正の内容】
【発明の名称】マルチ荷電粒子線描画装置
【手続補正２】
【補正対象書類名】明細書
【補正対象項目名】特許請求の範囲
【補正方法】変更
【補正の内容】
【特許請求の範囲】  
【請求項１】  複数の荷電粒子線を用いて被露光基板を描画するマルチ荷電粒子線描画装置において、
前記複数の全荷電粒子線を入射させてその総電流を計測する第１の計測手段と、
電子増倍機能を有する複数の検出器を前記複数の全荷電粒子線のそれぞれに対応して備え、検出器ごとに対応する荷電粒子線の電流の相対値を計測する第２の計測手段と、
を有することを特徴とするマルチ荷電粒子線描画装置。
【請求項２】  複数の荷電粒子線を用いて被露光基板を描画するマルチ荷電粒子線描画装置において、
前記複数の全荷電粒子線を入射させてその総電流を計測する第１の計測手段と、
電子増倍機能を有する複数の検出器を備え、前記複数の全荷電粒子線を照射領域および照射強度で複数の荷電粒子線群にグループ分けして各荷電粒子線群を前記検出器に対応させ、検出器ごとに対応する荷電粒子線群内の単数または複数の荷電粒子線の電流を計測することにより前記各荷電粒子線の電流の相対値を計測する第２の計測手段と、
を有することを特徴とするマルチ荷電粒子線描画装置。
【請求項３】  前記第１の計測手段で計測された総電流と前記第２の計測手段で計測された相対値とに基づいて、各荷電粒子線の電流値を算定する手段をさらに有することを特徴とする請求項１又は２に記載のマルチ荷電粒子線描画装置。
【手続補正３】
【補正対象書類名】明細書
【補正対象項目名】０００７
【補正方法】変更
【補正の内容】
【０００７】
【課題を解決しようとする手段】
上記目的を達成するため、本発明のマルチ荷電粒子線描画装置は、複数の荷電粒子線を用いて被露光基板を描画するマルチ荷電粒子線描画装置において、
前記複数の全荷電粒子線を入射させてその総電流を計測する第１の計測手段と、
電子増倍機能を有する複数の検出器を前記複数の全荷電粒子線のそれぞれに対応して備え、検出器ごとに対応する荷電粒子線の電流の相対値を計測する第２の計測手段と、を有することを特徴とする。
【手続補正４】
【補正対象書類名】明細書
【補正対象項目名】０００８
【補正方法】変更
【補正の内容】
【０００８】
さらに、本発明のマルチ荷電粒子線描画装置は、複数の荷電粒子線を用いて被露光基板を描画するマルチ荷電粒子線描画装置において、
前記複数の全荷電粒子線を入射させてその総電流を計測する第１の計測手段と、
電子増倍機能を有する複数の検出器を備え、前記複数の全荷電粒子線を照射領域および照射強度で複数の荷電粒子線群にグループ分けして各荷電粒子線群を前記検出器に対応させ、検出器ごとに対応する荷電粒子線群内の単数または複数の荷電粒子線の電流を計測することにより前記各荷電粒子線の電流の相対値を計測する第２の計測手段と、を有することを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１１
【補正方法】変更
【補正の内容】
【００１１】
本発明のマルチ荷電粒子線描画装置は、特に、ＩＣやＬＳＩ等の半導体チップ、液晶パネル、ＣＣＤ、薄膜磁気ヘッド、マイクロマシン等の微小デバイスを製造するために好適に用いることができる。
【手続補正書】
【提出日】平成18年4月13日(2006.4.13)
【手続補正１】
【補正対象書類名】明細書
【補正対象項目名】特許請求の範囲
【補正方法】変更
【補正の内容】
【特許請求の範囲】
【請求項１】
プロトン伝導性電解質膜と、前記プロトン伝導性電解質膜の両面に接触する一対の触媒層と、前記各々の触媒層に接触する一対のガス拡散層とを備え、前記触媒層は少なくとも高分子電解質と導電性を有する触媒担持体に担持された触媒とを具備する燃料電池用電解質膜電極接合体であって、
前記触媒層は複数の触媒薄膜層からなり、
前記触媒層において、前記触媒層の質量密度が前記プロトン伝導性電解質膜側から前記ガス拡散層側にかけて減少し、かつ前記高分子電解質の重量と前記触媒の重量との重量比が前記触媒層の前記プロトン伝導性電解質膜側から前記ガス拡散層側にかけてほぼ一定であることを特徴とする燃料電池用電解質膜電極接合体。
【請求項２】
請求項１記載の燃料電池用電解質膜電極接合体を用いた燃料電池。
【請求項３】
少なくとも触媒担持体に担持された触媒と高分子電解質との混合物を転写用シート上に触媒薄膜層として形成し、前記触媒薄膜層を転写プロセスによりプロトン伝導性電解質膜の少なくとも一方の主面上に形成する触媒薄膜層転写工程と、
前記触媒薄膜層転写工程を少なくとも１回繰り返して前記プロトン伝導性電解質膜の上に形成された前記触媒薄膜層の上に、少なくとも１層の更なる触媒薄膜層を形成し、前記高分子電解質の重量と前記触媒の重量との重量比がほぼ一定の複数の触媒薄膜層からなる触媒層を形成する触媒薄膜層転写繰り返し工程と、
前記触媒層の上にガス拡散層を設けるガス拡散層設置工程とを具備し、
さらに、前記触媒薄膜層転写繰り返し工程が、各触媒薄膜層を前記プロトン伝導性電解質膜に向かって押圧する押圧プロセスを具備し、
前記押圧プロセスにより、各触媒薄膜層の質量密度を前記プロトン伝導性電解質膜側の触媒薄膜層から前記ガス拡散層側の触媒薄膜層に向かって順次減少させることを特徴とする燃料電池用電解質膜電極接合体の製造方法。
【請求項４】  前記転写プロセスとして熱転写プロセスを用いる請求項３記載の燃料電池用電解質膜電極接合体の製造方法。
【請求項５】  請求項３記載の燃料電池用電解質膜電極接合体の製造方法を用いた燃料電池の製造方法。
【手続補正２】
【補正対象書類名】明細書
【補正対象項目名】００１２
【補正方法】変更
【補正の内容】
【００１２】
【課題を解決するための手段】
従来の課題を解決するための本発明の燃料電池用ＭＥＡは、
プロトン伝導性電解質膜と、前記プロトン伝導性電解質膜の両面に接触する一対の触媒層と、前記各々の触媒層に接触する一対のガス拡散層とを備え、前記触媒層は少なくとも高分子電解質と導電性を有する触媒担持体に担持された触媒とを具備する燃料電池用ＭＥＡであって、
前記触媒層は複数の触媒薄膜層からなり、
前記触媒層において、前記触媒層の質量密度が前記プロトン伝導性電解質膜側から前記ガス拡散層側にかけて減少し、かつ前記高分子電解質の重量と前記触媒の重量との重量比が前記触媒層の前記プロトン伝導性電解質膜側から前記ガス拡散層側にかけてほぼ一定であることを特徴とする。
前記触媒層中の前記高分子電解質も、プロトン伝導性高分子電解質膜と同様にプロトン伝導性を有する。
【手続補正３】
【補正対象書類名】明細書
【補正対象項目名】００１３
【補正方法】変更
【補正の内容】
【００１３】
さらに、本発明の燃料電池用ＭＥＡの製造方法は、
少なくとも触媒担持体に担持された触媒と高分子電解質との混合物を転写用シート上に触媒薄膜層として形成し、前記触媒薄膜層を転写プロセスによりプロトン伝導性電解質膜の少なくとも一方の主面上に形成する触媒薄膜層転写工程と、
前記触媒薄膜層転写工程を少なくとも１回繰り返して前記プロトン伝導性電解質膜の上に形成された前記触媒薄膜層の上に、少なくとも１層の更なる触媒薄膜層を形成し、前記高分子電解質の重量と前記触媒の重量との重量比がほぼ一定の複数の触媒薄膜層からなる触媒層を形成する触媒薄膜層転写繰り返し工程と、
前記触媒層の上にガス拡散層を設けるガス拡散層設置工程とを具備し、
さらに、前記触媒薄膜層転写繰り返し工程が、各触媒薄膜層を前記プロトン伝導性電解質膜に向かって押圧する押圧プロセスを具備し、
前記押圧プロセスにより、各触媒薄膜層の質量密度を前記プロトン伝導性電解質膜側の触媒薄膜層から前記ガス拡散層側の触媒薄膜層に向かって順次減少させることを特徴とする。
【手続補正４】
【補正対象書類名】明細書
【補正対象項目名】００１４
【補正方法】変更
【補正の内容】
【００１４】
前記転写プロセスとして、熱転写プロセスを用いることが好ましい。
さらに、本発明の燃料電池用ＭＥＡあるいはその製造方法を用いて燃料電池を作製することが好ましい。
【手続補正書】
【提出日】平成18年7月24日(2006.7.24)
【手続補正１】
【補正対象書類名】特許請求の範囲
【補正対象項目名】全文
【補正方法】変更
【補正の内容】
【特許請求の範囲】
【請求項１】
モータの回転軸の上端部に固定した、ディスク状記録媒体を載置するターンテーブルを備えたディスク駆動装置において、
前記モータの回転軸に固定し、前記ターンテーブルの下部に位置する、上部が広く、下部へ向かって徐々に狭くなる形状で、上部に吸気口、下部に排気口を設けたポンプ状のファンを備えた
ディスク駆動装置。
【請求項２】
前記請求項１記載のディスク駆動装置において、
前記ポンプ状のファンの排気口はモータに向けて開いてあり、吸気した空気をポンプ状のファンを通ることにより圧縮し、その圧縮空気をモータ側へ排出することを特徴とする
ディスク駆動装置。
【請求項３】
前記請求項１記載のディスク駆動装置において、
前記ターンテーブルに、ディスク状記録媒体を載置する面から前記ポンプ状ファンと接する面へ貫通する開口部を設け、
前記ターンテーブルと前記ターンテーブルに載置したディスク状記録媒体との間の空間の空気を、前記ポンプ状のファンの内部を通して前記排気口へ排気する、前記開口部と接続するダクトを備えた、
ディスク駆動装置。
【請求項４】
前記請求項１記載のディスク駆動装置において、
前記ポンプ状のファンは、吸気した空気をポンプ状のファンを通すことにより圧縮し、圧縮した空気をモータ側に向けて開口した排気口から排出する際、大気圧に膨張することで、排出空気の温度を下げ、その低温の空気をモータ側へ排出することを特徴とする
ディスク駆動装置。
【手続補正書】
【提出日】平成18年8月2日(2006.8.2)
【手続補正１】
【補正対象書類名】特許請求の範囲
【補正対象項目名】全文
【補正方法】変更
【補正の内容】
【特許請求の範囲】
【請求項１】
コンテンツを格納した情報記録媒体からのコンテンツ再生処理を実行する情報処理装置であり、
情報記録媒体から情報記録媒体固有の識別情報を含まない第１のＩＤ情報、または情報記録媒体固有の識別情報を含む第２のＩＤ情報の少なくともいずれかを読み取り、
ａ）前記第１のＩＤ情報についてのデータ検証処理、あるいは、
ｂ）前記第２のＩＤ情報についてのデータ検証処理および前記第２のＩＤ情報に含まれる情報記録媒体固有の識別情報に基づく情報記録媒体リボーク検証処理、
ａ）、またはｂ）のいずれかの検証処理を実行し、いずれかの検証の成立を条件として前記情報記録媒体の格納コンテンツの再生処理を実行する構成を有することを特徴とする情報処理装置。
【請求項２】
情報記録媒体固有の識別情報を含まない第１のＩＤ情報は、情報記録媒体のタイトルに対応して設定されるタイトル固有情報パートと、ダミーデータからなるダミーパート情報と、データ改竄検証値としての認証子とを含み、
前記情報処理装置は、少なくとも前記ダミーパートが規定フォーマットのデータであるか否かのダミーパート検証と、前記認証子に基づくデータ検証を実行する構成であり、両検証の成立を条件として、前記情報記録媒体の格納コンテンツの再生処理を実行する構成を有することを特徴とする請求項１に記載の情報処理装置。
【請求項３】
情報記録媒体固有の識別情報を含む第２のＩＤ情報は、情報記録媒体のタイトルに対応して設定されるタイトル固有情報パートと、情報記録媒体固有の識別情報からなる情報記録媒体固有識別情報パートと、データ改竄検証値としての認証子とを含み、
前記情報処理装置は、少なくとも前記情報記録媒体固有識別情報パートが規定フォーマットのデータであるか否かの情報記録媒体固有識別情報パート検証と、前記認証子に基づくデータ検証を実行し、検証済みの前記第２のＩＤに含まれる情報記録媒体固有識別情報が、情報処理装置に格納された情報記録媒体リボケーションリストに記録されているか否かのリボーク検証を実行する構成であり、全検証に基づいて情報記録媒体の正当性が判定されたことを条件として、前記情報記録媒体の格納コンテンツの再生処理を実行する構成を有することを特徴とする請求項１に記載の情報処理装置。
【請求項４】
前記情報処理装置は、
不正であると判定された情報記録媒体固有識別情報のリストである情報記録媒体ＩＤリボケーションリストを格納したメモリを有し、
情報記録媒体に格納された情報記録媒体固有識別情報と前記メモリに格納された情報記録媒体ＩＤリボケーションリストに記述されたリボーク情報記録媒体ＩＤとの照合処理を実行し、情報記録媒体に格納された情報記録媒体固有識別情報が、情報記録媒体ＩＤリボケーションリストに記述されたリボーク情報記録媒体ＩＤと一致しないことを条件としてコンテンツ再生処理を実行する構成を有することを特徴とする請求項３に記載の情報処理装置。
【請求項５】
前記情報処理装置は、
情報記録媒体に格納された情報記録媒体ＩＤリボケーションリストの改竄検証処理を実行し、改竄のないことの判定を条件として、メモリに格納した情報記録媒体ＩＤリボケーションリストとのバージョン比較を実行し、情報記録媒体に格納された情報記録媒体ＩＤリボケーションリストのバージョンがメモリに格納した情報記録媒体ＩＤリボケーションリストとのバージョンより新しいものである場合に、情報記録媒体に格納された情報記録媒体ＩＤリボケーションリストをメモリに格納するリスト更新処理を実行する構成であることを特徴とする請求項４に記載の情報処理装置。
【請求項６】
前記情報処理装置は、
情報処理装置にセットされた情報記録媒体が、情報記録媒体固有の識別情報を含む第２のＩＤ情報を格納した第２世代情報媒体であるか、情報記録媒体固有の識別情報を含まない第１のＩＤ情報のみを格納した第１世代情報媒体であるかの判別処理を実行し、該判別結果に基づいて、
ａ）前記第１のＩＤ情報についてのデータ検証処理、あるいは、
ｂ）前記第２のＩＤ情報についてのデータ検証処理および前記第２のＩＤ情報に含まれる情報記録媒体固有の識別情報に基づく情報記録媒体リボーク検証処理、
ａ）、またはｂ）のいずれかの検証処理を選択して実行する構成であることを特徴とする請求項１に記載の情報処理装置。
【請求項７】
コンテンツを格納した情報記録媒体からのコンテンツ再生処理を実行する情報処理方法であり、
情報記録媒体から情報記録媒体固有の識別情報を含まない第１のＩＤ情報、または情報記録媒体固有の識別情報を含む第２のＩＤ情報のいずれかを読み取るＩＤ読み取りステップと、
ａ）前記第１のＩＤ情報についてのデータ検証処理、あるいは、
ｂ）前記第２のＩＤ情報についてのデータ検証処理および前記第２のＩＤ情報に含まれる情報記録媒体固有の識別情報に基づく情報記録媒体リボーク検証処理、
ａ）、またはｂ）のいずれかの検証処理を実行する検証処理ステップと、
前記検証処理ステップにおける前記ａ）またはｂ）いずれかの検証の成立を条件として前記情報記録媒体の格納コンテンツの再生処理を実行するコンテンツ再生ステップと、
を有することを特徴とする情報処理方法。
【請求項８】
コンテンツを格納した情報記録媒体からのコンテンツ再生処理を実行するコンピュータ・プログラムであり、
情報記録媒体から情報記録媒体固有の識別情報を含まない第１のＩＤ情報、または情報記録媒体固有の識別情報を含む第２のＩＤ情報のいずれかを読み取るＩＤ読み取りステップと、
ａ）前記第１のＩＤ情報についてのデータ検証処理、あるいは、
ｂ）前記第２のＩＤ情報についてのデータ検証処理および前記第２のＩＤ情報に含まれる情報記録媒体固有の識別情報に基づく情報記録媒体リボーク検証処理、
ａ）、またはｂ）のいずれかの検証処理を実行する検証処理ステップと、
前記検証処理ステップにおける前記ａ）またはｂ）いずれかの検証の成立を条件として前記情報記録媒体の格納コンテンツの再生処理を実行するコンテンツ再生ステップと、
を有することを特徴とするコンピュータ・プログラム。
【手続補正書】
【提出日】平成18年9月4日(2006.9.4)
【手続補正１】
【補正対象書類名】特許請求の範囲
【補正対象項目名】全文
【補正方法】変更
【補正の内容】
【特許請求の範囲】
【請求項１】
所定の空間内の状況に関する情報を提供する情報提供システムであって、
上記空間内を撮像する撮像手段と、
上記撮像手段が撮像した空間内の状況を特定する特定手段と、
上記撮像手段が撮像した画像データに含まれる移動体及び／又は物品についての情報を認識する認識手段と、
上記空間内の状況と画像データの加工内容とを対応付けて記憶する加工内容管理データベースと、
上記加工内容管理データベースを参照して、上記特定手段が特定した状況に対応する加工内容に従い、上記認識手段の認識結果を用いて上記撮像手段が撮像した画像データを加工する加工手段と、
上記加工された画像データを表示する表示手段と、を備える情報提供システム。
【請求項２】
請求項１に記載の情報提供システムにおいて、
特定手段が特定する空間内の状況は、人物及び場所に関する情報であり、
加工手段は、
ａ）撮像した画像データ内の人物の顔の領域に対するモザイク処理、
ｂ）撮像した画像データ内の人物又はその人物が所持している物品のマスク処理、及び
ｃ）撮像した画像データ内の人物をアイコンに置換する処理、
の内の少なくとも１の処理を実行する情報提供システム。
【請求項３】
請求項１に記載の情報提供システムにおいて、
ユーザ操作に応じて画像データの表示要求信号を出力する操作手段をさらに備え、
加工内容管理データベースは、ユーザ情報及び空間内の状況と、画像データの加工内容とを対応付けて記憶し、
加工手段は、上記表示要求信号を受けて、その表示要求信号の出力に係るユーザの情報を取得し、当該ユーザ情報と特定手段が特定した状況とに対応する加工内容に従って画像データを加工する情報提供システム。
【請求項４】
請求項３に記載の情報提供システムにおいて、
ユーザ毎にアクセス権が設定されており、
加工手段は、画像データを閲覧するユーザのアクセス権に基づいて当該画像データの加工を行う情報提供システム。
【請求項５】
請求項１に記載の情報提供システムにおいて、
加工内容管理データベースは、空間内の状況として、当該空間の属性と、当該空間内に存在する移動体及び／又は物品の属性との組合せを記憶する情報提供システム。
【請求項６】
請求項１に記載の情報提供システムにおいて、
空間内に存在する移動体及び／又は物品を検出するセンシング手段をさらに備え、
特定手段は、上記センシング手段の検出結果に基づいて、空間内の状況を特定し、
認識手段は、撮像手段が撮像した画像データ及び／又は上記センシング手段の検出結果に基づいて画像データに含まれる移動体及び／又は物品についての情報を認識する情報提供システム。
【請求項７】
請求項１に記載の情報提供システムにおいて、
認識手段は、移動体及び／又は物品についての情報を複数の情報レベル毎に認識し、
加工内容管理データベースは、空間内の状況と、その状況に応じて選択された情報レベルの認識結果が加工後の画像データに含まれるよう設定された加工内容とを対応付けて記憶する情報提供システム。
【請求項８】
請求項１に記載の情報提供システムにおいて、
撮像手段が撮像した画像データと認識手段が認識した認識結果とを対応付けて蓄積する画像管理データベースをさらに備え、
加工手段は、上記画像管理データベースに蓄積されている画像データを、上記画像管理データベースに蓄積されている認識結果を用いて加工する情報提供システム。
【請求項９】
所定の空間内の状況に関する情報を提供する情報提供サーバであって、
撮像手段が撮像した空間内の状況を特定する特定手段と、
上記撮像手段が撮像した画像データに含まれる移動体及び／又は物品についての情報の認識を行う認識手段と、
上記空間内の状況と画像データの加工内容とを対応付けて記憶する加工内容管理データベースを参照して、上記特定手段が特定した状況に対応する加工内容に従い、上記認識手段の認識結果を用いて上記撮像手段が撮像した画像データを加工する加工手段と、
上記加工された画像データを出力する出力手段と、を備える情報提供サーバ。
【請求項１０】
所定の空間内の状況に関する情報を提供する情報提供方法であって、
上記空間内を撮像する撮像ステップと、
上記撮像ステップで撮像した空間内の状況を特定する特定ステップと、
上記撮像ステップで撮像した画像データに含まれる移動体及び／又は物品についての情報を認識する認識ステップと、
上記特定ステップで特定した状況に対応して設定された加工内容に従い、上記認識ステップの認識結果を用いて上記撮像ステップで撮像した画像データを加工する加工ステップと、
上記加工ステップで加工した画像データを表示する表示ステップと、を含む情報提供方法。
【手続補正書】
【提出日】平成18年8月2日(2006.8.2)
【手続補正１】
【補正対象書類名】明細書
【補正対象項目名】特許請求の範囲
【補正方法】変更
【補正の内容】
【特許請求の範囲】
【請求項１】  プリンタに接続される情報処理装置であって、
印刷に指定された用紙サイズが１８０度回転して出力する必要があるかどうかを判断する判断手段と、
前記判断手段により１８０度回転する必要があると判断した場合には、印字マージンを上下左右逆の値をアプリケーションに指定し、アプリケーションから出力要求されたデータを１８０度回転してプリンタに出力する出力手段とを有することを特徴とする情報処理装置。
【請求項２】  更に、１８０度回転する場合には、用紙を逆にプリンタに積載することをユーザに表示する表示手段を有することを特徴とする請求項１記載の情報処理装置。
【請求項３】  前記出力手段は、前記判断手段により１８０度回転する必要があると判断した場合には、印字マージンを上下左右逆の値をアプリケーションに指定し、下からバンドのデータを要求し、バンド内のデータを１８０度回転してプリンタに出力することを特徴する請求項１記載の情報処理装置。
【請求項４】  プリンタに接続される情報処理装置であって、
印刷に指定された用紙サイズが封筒であるかどうかを判断する判断手段と、
前記判断手段により判断結果に応じて、プリンタに用紙をセットする際の印刷方向のデフォルト設定を行なう設定手段を有することを特徴とする情報処理装置。
【請求項５】  プリンタに接続される情報処理装置であって、
印刷に指定された用紙サイズが封筒であるかどうかを判断する判断手段と、
前記判断手段により判断結果に応じて、プリンタに用紙をセットする際の印刷方向の選択可能アイテムを変更する変更手段を有することを特徴とする情報処理装置。
【請求項６】  プリンタに接続される情報処理装置における印刷方法であって、
印刷に指定された用紙サイズが１８０度回転して出力する必要があるかどうかを判断する判断ステップと、
前記判断ステップにより１８０度回転する必要があると判断した場合には、印字マージンを上下左右逆の値をアプリケーションに指定し、アプリケーションから出力要求されたデータを１８０度回転してプリンタに出力する出力ステップとを有することを特徴とする情報処理装置における印刷方法。
【請求項７】  更に、１８０度回転する場合には、用紙を逆にプリンタに積載することをユーザに表示する表示ステップを有することを特徴とする請求項６記載の情報処理装置における印刷方法。
【請求項８】  前記出力ステップは、前記判断ステップにより１８０度回転する必要があると判断した場合には、印字マージンを上下左右逆の値をアプリケーションに指定し、下からバンドのデータを要求し、バンド内のデータを１８０度回転してプリンタに出力することを特徴する請求項６記載の情報処理装置における印刷方法。
【請求項９】  プリンタに接続される情報処理装置における印刷方法であって、
印刷に指定された用紙サイズが封筒であるかどうかを判断する判断ステップと、
前記判断ステップにより判断結果に応じて、プリンタに用紙をセットする際の印刷方向のデフォルト設定を行なう設定ステップを有することを特徴とする情報処理装置における印刷方法。
【請求項１０】  プリンタに接続される情報処理装置における印刷方法であって、
印刷に指定された用紙サイズが封筒であるかどうかを判断する判断ステップと、
前記判断ステップにより判断結果に応じて、プリンタに用紙をセットする際の印刷方向の選択可能アイテムを変更する変更ステップを有することを特徴とする情報処理装置における印刷方法。
【請求項１１】  プリンタに接続される情報処理装置で実行されるプログラムであって、
印刷に指定された用紙サイズが１８０度回転して出力する必要があるかどうかを判断する判断ステップと、
前記判断ステップにより１８０度回転する必要があると判断した場合には、印字マージンを上下左右逆の値をアプリケーションに指定し、アプリケーションから出力要求されたデータを１８０度回転してプリンタに出力する出力ステップとを情報処理装置に実行させることを特徴とするプログラム。
【請求項１２】  更に、１８０度回転する場合には、用紙を逆にプリンタに積載することをユーザに表示する表示ステップを情報処理装置に実行させることを特徴とする請求項１１記載の情報処理装置で実行されるプログラム。
【請求項１３】  前記出力ステップは、前記判断ステップにより１８０度回転する必要があると判断した場合には、印字マージンを上下左右逆の値をアプリケーションに指定し、下からバンドのデータを要求し、バンド内のデータを１８０度回転してプリンタに出力することを特徴する請求項１１記載の情報処理装置で実行されるプログラム。
【請求項１４】  プリンタに接続される情報処理装置で実行されるプログラムであって、
印刷に指定された用紙サイズが封筒であるかどうかを判断する判断ステップと、
前記判断ステップにより判断結果に応じて、プリンタに用紙をセットする際の印刷方向のデフォルト設定を行なう設定ステップとを情報処理装置に実行させることを特徴とする情報処理装置で実行されるプログラム。
【請求項１５】  プリンタに接続される情報処理装置で実行されるプログラムであって、
印刷に指定された用紙サイズが封筒であるかどうかを判断する判断ステップと、
前記判断ステップにより判断結果に応じて、プリンタに用紙をセットする際の印刷方向の選択可能アイテムを変更する変更ステップとを情報処理装置に実行させることを特徴とするプログラム。
【手続補正書】
【提出日】平成18年11月9日(2006.11.9)
【手続補正１】
【補正対象書類名】特許請求の範囲
【補正対象項目名】全文
【補正方法】変更
【補正の内容】
【特許請求の範囲】
【請求項１】
所定のエージェントを背景画面に重畳させて表示するエージェント表示装置であって、
背景画面を表示する背景画面表示手段と、
表示するエージェントを特定するエージェント特定手段と、
前記特定されたエージェントを表示する際の透明度を決定する透明度決定手段と、
前記決定された透明度で前記エージェントを前記背景画面に重畳させて表示するエージェント重畳手段と
を備えることを特徴とするエージェント表示装置。
【請求項２】
前記エージェントは、
エージェントのキャラクタを表すデータと吹き出しを表すデータとユーザに提供する提供情報を表すデータから構築され、
前記エージェント特定手段は、
イベントの発生を検出し、当該イベントを識別するイベント検出部と、
前記識別されたイベントに応じて、前記キャラクタを表すデータと前記吹き出しを表すデータと前記提供情報を表すデータとを特定するデータ特定部を備える
ことを特徴とする請求項１記載のエージェント表示装置。
【請求項３】
前記キャラクタを表すデータ、前記吹き出しを表すデータ及び提供情報を表すデータのうち、少なくとも１つは３次元形状データによって構築されている
ことを特徴とする請求項２記載のエージェント表示装置。
【請求項４】
前記エージェント特定手段は、さらに、
前記キャラクタを表すデータと前記吹き出しを表すデータと前記提供情報を表すデータとをイベントに対応付けて記憶する記憶部を備え、
前記データ特定部は、
前記識別されたイベントに応じて前記各データを読み出し、当該読み出された各データをもって、前記特定されたデータとする
ことを特徴とする請求項２記載のエージェント表示装置。
【請求項５】
前記透明度決定手段は、
前記背景画面の画面重要度を決定する画面重要度決定部と、
前記イベントに基づいて、エージェントのエージェント重要度を決定するエージェント重要度決定部と、
前記画面重要度と前記エージェント重要度とに基づいて、前記透明度を算出する透明度算出部とを備える
ことを特徴とする請求項１記載のエージェント表示装置。
【請求項６】
前記透明度決定手段は、さらに、
前記決定された画面重要度及び前記エージェント重要度について比較する重要度比較部を備え、
前記エージェント重畳手段は、
前記比較結果に基づいて、前記背景画面及び前記エージェントの一方を変色して前記重畳した表示を行う
ことを特徴とする請求項５記載のエージェント表示装置。
【請求項７】
前記変色は、
モノクロ化又はセピア色化を行うことである
ことを特徴とする請求項６記載のエージェント表示装置。
【請求項８】
前記エージェント表示装置は、さらに、
ユーザからの指示を受け付ける指示受付手段を備え、
前記透明度決定手段は、さらに、
前記受け付けたユーザからの指示に基づいて、前記透明度を変更する
ことを特徴とする請求項５記載のエージェント表示装置。
【請求項９】
前記画面重要度決定部は、
画面が複数の領域から構成される場合は、当該複数の領域毎に画面重要度を決定する
ことを特徴とする請求項５記載のエージェント表示装置。
【請求項１０】
前記イベントは、電子メールの受信である
ことを特徴とする請求項５記載のエージェント表示装置。
【請求項１１】
前記イベント検出部は、さらに、
前記受信したメールの発信者を識別し、
前記エージェント重要度決定部は、
前記発信者に基づいて、前記エージェント重要度を決定する
ことを特徴とする請求項１０記載のエージェント表示装置。
【請求項１２】
前記イベント検出部は、さらに、
前記受信したメールのタイトルに含まれる文字列を識別し、
前記エージェント重要度決定部は、
前記タイトルに含まれる文字列に基づいて、前記エージェント重要度を決定する
ことを特徴とする請求項１０記載のエージェント表示装置。
【請求項１３】
前記透明度決定手段は、
ユーザからのキー入力を検出する入力検出部と、
前記検出後に時間の経過を計時する計時部と、
前記時間の経過に従って前記決定された透明度を変更する透明度変更部とを備え、
前記エージェント重畳手段は、
前記変更された透明度で前記エージェントを前記背景画面に重畳させて表示する
ことを特徴とする請求項１記載のエージェント表示装置。
【請求項１４】
前記透明度決定手段は、さらに、
前記背景画面がテキスト表示の画面及び画像表示の画面の何れであるかを識別し、当該識別結果に基づいて、前記透明度を決定する
ことを特徴とする請求項１記載のエージェント表示装置。
【請求項１５】
所定のエージェントを背景画面に重畳させて表示するエージェント表示方法であって、
背景画面を表示する背景画面表示ステップと、
表示するエージェントを特定するエージェント特定ステップと、
前記特定されたエージェントを表示する際の透明度を決定する透明度決定ステップと、
前記決定された透明度で前記エージェントを前記背景画面に重畳させて表示するエージェント重畳ステップと
を含むことを特徴とするエージェント表示方法。
【請求項１６】
コンピュータに、所定のエージェントを背景画面に重畳させて表示するエージェント表示を実行させるためのプログラムであって、
前記プログラムは、
背景画面を表示する背景画面表示ステップと、
表示するエージェントを特定するエージェント特定ステップと、
前記特定されたエージェントを表示する際の透明度を決定する透明度決定ステップと、
前記決定された透明度で前記エージェントを前記背景画面に重畳させて表示するエージェント重畳ステップと
を含むことを特徴とするプログラム。
【請求項１７】
所定のエージェントを背景画面に重畳させて表示するための制御を行うエージェント表示制御装置であって、
背景画面を表示する指示を行う背景画面表示指示手段と、
表示するエージェントを特定するエージェント特定手段と、
前記特定されたエージェントを表示する際の透明度を決定する透明度決定手段と、
前記決定された透明度で前記エージェントを前記背景画面に重畳させるエージェント重畳手段と
を備えることを特徴とするエージェント表示制御装置。
【請求項１８】
所定のエージェントを背景画面に重畳させて表示するための制御を行うエージェント表示制御方法であって、
背景画面を表示する指示を行う背景画面表示指示ステップと、
表示するエージェントを特定するエージェント特定ステップと、
前記特定されたエージェントを表示する際の透明度を決定する透明度決定ステップと、
前記決定された透明度で前記エージェントを前記背景画面に重畳させるエージェント重畳ステップと
を含むことを特徴とするエージェント表示制御方法。
【請求項１９】
コンピュータに、所定のエージェントを背景画面に重畳させて表示するための制御を実行させるためのプログラムであって、
前記プログラムは、
背景画面を表示する指示を行う背景画面表示指示ステップと、
表示するエージェントを特定するエージェント特定ステップと、
前記特定されたエージェントを表示する際の透明度を決定する透明度決定ステップと、
前記決定された透明度で前記エージェントを前記背景画面に重畳させるエージェント重畳ステップと
を含むことを特徴とするプログラム。
【手続補正書】
【提出日】平成18年4月6日(2006.4.6)
【手続補正１】
【補正対象書類名】明細書
【補正対象項目名】０００９
【補正方法】変更
【補正の内容】
【０００９】
この発明に係る情報収集検索装置は、施設の個別情報を格納する施設情報データベースと、検索キーワードを入力すると共に、該検索キーワードによって施設情報データベースを検索した結果が出力される情報取得端末と、施設情報データベースに施設の個別情報を登録するための情報登録端末と、情報取得端末、情報登録端末及び施設情報データベースを制御する制御装置とを備え、前記制御装置は、情報登録端末から送られてくる登録情報を解析し、施設の個別情報として施設情報データベースに格納する登録解析手段と、情報取得端末から入力された検索キーワードを用いて施設情報データベースを全文検索し、該検索結果を表す情報を情報取得端末に送信する検索手段とを備えているものである。
【手続補正書】
【提出日】平成18年7月31日(2006.7.31)
【手続補正１】
【補正対象書類名】特許請求の範囲
【補正対象項目名】全文
【補正方法】変更
【補正の内容】
【特許請求の範囲】
【請求項１】
座標入力領域に設けられた受光手段と、当該座標入力領域の周辺部に設けられ、入射光を反射する反射手段と、前記座標入力領域に投光する発光手段と、前記受光手段から得られる光量分布に基づいて、発光機能を有する指示具の前記座標入力領域における座標位置を求める座標取得動作を行う計算手段とを備える座標入力装置であって、
前記指示具からの発光信号を検出する検出手段と、
前記検出手段による検出結果に基づいて、前記計算手段による前記座標取得動作を制御する制御手段と
を備えることを特徴とする座標入力装置。
【請求項２】
前記制御手段は、前記検出手段が前記指示具からの発光信号を検出してから所定期間中は、前記計算手段に前記座標取得動作行わせないように制御することを特徴とする請求項１に記載の座標入力装置。
【請求項３】
前記制御手段は、前記検出手段が前記指示具からの発光信号を検出してから所定期間中は、前記発光手段による投光を行わせないように制御することを特徴とする請求項１に記載の座標入力装置。
【請求項４】
前記所定期間の長さは、前記発光手段が前記指示具の座標検出のために投光する期間よりも長いことを特徴とする請求項２又は３に記載の座標入力装置。
【請求項５】
前記制御手段は、前記発光手段による発光開始時から所定期間、及び発光終了時から所定期間だけ、前記計算手段に前記座標取得動作行わせないように制御することを特徴とする請求項１に記載の座標入力装置。
【請求項６】
前記指示具は、前記受光手段側に発光することを特徴とする請求項１に記載の座標入力装置。
【請求項７】
座標入力領域に設けられた受光手段と、当該座標入力領域の周辺部に設けられ、入射光を反射する反射手段と、前記座標入力領域に投光する発光手段と、前記受光手段から得られる光量分布に基づいて、発光機能を有する指示具の前記座標入力領域における座標位置を求める座標取得動作を行う計算手段とを備える座標入力装置が行う座標入力方法であって、
前記指示具からの発光信号を検出する検出工程と、
前記検出工程による検出結果に基づいて、前記計算工程による前記座標取得動作を制御する制御工程と
を備えることを特徴とする座標入力方法。
【請求項８】
コンピュータに請求項７に記載の座標入力方法を実行させる為のプログラム。
【請求項９】
請求項８に記載のプログラムを格納したことを特徴とする、コンピュータ読み取り可能な記憶媒体。
【手続補正２】
【補正対象書類名】明細書
【補正対象項目名】００１６
【補正方法】変更
【補正の内容】
【００１６】
即ち、座標入力領域に設けられた受光手段と、当該座標入力領域の周辺部に設けられ、入射光を反射する反射手段と、前記座標入力領域に投光する発光手段と、前記受光手段から得られる光量分布に基づいて、発光機能を有する指示具の前記座標入力領域における座標位置を求める座標取得動作を行う計算手段とを備える座標入力装置であって、
前記指示具からの発光信号を検出する検出手段と、
前記検出手段による検出結果に基づいて、前記計算手段による前記座標取得動作を制御する制御手段と
を備えることを特徴とする。
【手続補正３】
【補正対象書類名】明細書
【補正対象項目名】００１８
【補正方法】変更
【補正の内容】
【００１８】
即ち、座標入力領域に設けられた受光手段と、当該座標入力領域の周辺部に設けられ、入射光を反射する反射手段と、前記座標入力領域に投光する発光手段と、前記受光手段から得られる光量分布に基づいて、発光機能を有する指示具の前記座標入力領域における座標位置を求める座標取得動作を行う計算手段とを備える座標入力装置が行う座標入力方法であって、
前記指示具からの発光信号を検出する検出工程と、
前記検出工程による検出結果に基づいて、前記計算工程による前記座標取得動作を制御する制御工程と
を備えることを特徴とする。
【手続補正書】
【提出日】平成18年1月26日(2006.1.26)
【手続補正１】
【補正対象書類名】明細書
【補正対象項目名】００２９
【補正方法】変更
【補正の内容】
【００２９】
このような構成において、硬貨Ｃが硬貨投入口３に投入されると、投入センサ４がその硬貨Ｃを検出し、この検出信号により投入口ベルト５、投入口ローラ６、搬送ベルト７、搬送機構８が駆動される。そして、硬貨投入口３に投入された硬貨Ｃは、投入口ベルト５と投入口ローラ６との間で１枚ずつ分離されて搬送される。その後、搬送ベルト７により搬送される硬貨Ｃは、硬貨案内部５０によって搬送方向が略直角に屈曲され、搬送ベルト７から搬送機構８に受け渡され、硬貨選別部１１で金種毎の選別がなされる。すなわち、硬貨Ｃは、金種に応じて選別孔１０から落下し、硬貨収納部１４ａ〜１４ｆに金種別に収納される。そして、選別孔１０から落下した硬貨Ｃは、計数センサ１２によりその数がカウントされる。
【手続補正書】
【提出日】平成18年6月1日(2006.6.1)
【手続補正１】
【補正対象書類名】特許請求の範囲
【補正対象項目名】請求項１
【補正方法】変更
【補正の内容】
【請求項１】
灯体ベース上に点灯回路を構成するためのワイヤリングシステムであり、このワイヤリングシステムは金属部材により一部が略筒状に形成されて、その側面を電極として使用可能に形成された素子基板上にＬＥＤチップがマウントされてＬＥＤランプとされた光源部と、前記灯体ベース上に適宜な係着手段で点灯回路を構成し導電性と熱伝導性に対して適宜な板厚とされた金属板材のプレス加工により形成された導電部とからなり、前記光源部と前記導電部とは前記導電部側が内径で前記光源部の素子基板の外径に面接触して光源部の所定位置への保持と、給電と、放熱とを行う構成とされていることを特徴とする灯具のワイヤリングシステム。
【手続補正２】
【補正対象書類名】特許請求の範囲
【補正対象項目名】請求項２
【補正方法】変更
【補正の内容】
【請求項２】
前記導電部の前記灯体ベースの外部に導出される部分には給電部が設けられ、この給電部には前記光源部に対応する制御回路を搭載した回路基板が設けられていることを特徴とする請求項１記載の灯具のワイヤリングシステム。
【手続補正３】
【補正対象書類名】明細書
【補正対象項目名】発明の名称
【補正方法】変更
【補正の内容】
【発明の名称】灯具のワイヤリングシステム及び車両用灯具
【手続補正４】
【補正対象書類名】明細書
【補正対象項目名】０００５
【補正方法】変更
【補正の内容】
【０００５】
本発明は上記した従来の課題を解決するための具体的手段として、灯体ベース上に点灯回路を構成するためのワイヤリングシステムであり、このワイヤリングシステムは金属部材により一部が略筒状に形成されて、その側面を電極として使用可能に形成された素子基板上にＬＥＤチップがマウントされてＬＥＤランプとされた光源部と、前記灯体ベース上に適宜な係着手段で点灯回路を構成し導電性と熱伝導性に対して適宜な板厚とされた金属板材のプレス加工により形成された導電部とからなり、前記光源部と前記導電部とは前記導電部側が内径で前記光源部の素子基板の外径に面接触して光源部の所定位置への保持と、給電と、放熱とを行う構成とされていることを特徴とする灯具のワイヤリングシステムを提供することで課題を解決するものである。
【手続補正５】
【補正対象書類名】明細書
【補正対象項目名】０００６
【補正方法】変更
【補正の内容】
【０００６】
本発明により、灯体ベース上に点灯回路を構成するためのワイヤリングシステムであり、このワイヤリングシステムは金属部材により一部が略筒状に形成されて、その側面を電極として使用可能に形成された素子基板上にＬＥＤチップがマウントされてＬＥＤランプとされた光源部と、前記灯体ベース上に適宜な係着手段で点灯回路を構成し導電性と熱伝導性に対して適宜な板厚とされた金属板材のプレス加工により形成された導電部とからなり、前記光源部と前記導電部とは前記導電部側が内径で前記光源部の素子基板の外径に面接触して光源部の所定位置への保持と、給電と、放熱とを行う構成とされていることを特徴とする灯具のワイヤリングシステムとしたことで、光源部（ＬＥＤランプ）側では、素子基板の形状、寸法などの適正化を行い、灯具側でも導電部の形状、寸法での適正化を行い、光源部で発生した熱を導電部にに効率良く移行して導電部にて放熱させることを可能とし、近年の１個あたりの消費電力が増やされ、光源部（ＬＥＤランプ）自体で放熱が困難となっているＬＥＤ光源の灯具の実現を光量低下、寿命の短縮などの問題を生じることなく可能とする極めて優れた効果を奏するものである。